(57)【要約】【課題】簡単な回路構成で、音声信号とプレス信号、スケルチ信号の同期をとることができる音声ＩＰ化装置を提供することを目的とする。【解決手段】有無判定部１６は、ＲＴＰパケット受信部１１がＲＴＰパケット受信バッファ１２に出力する信号を監視していて、ＲＴＰパケット受信部１１からＲＴＰパケット受信バッファ１２にデータが出力されると、ＲＴＰパケットを受信したと判断して、ＤＯ端子の出力をオンにする。ＲＴＰパケット送信部１５は、ＤＩ端子からの入力を監視しており、ＤＩ端子の入力がオンになると、ＲＴＰパケット送信バッファ１４からデジタル音声データを読み出して、読み出したデジタル音声データをデータとするＲＴＰパケットを生成し、ＩＰ網を介して送信する。【選択図】図１
2008154157.tif 000002
【特許請求の範囲】
【請求項１】
受信したパケットからデジタル音声データを取り出し、パケット受信バッファに格納するパケット受信部と、受信したデジタル音声データを一時的に格納するパケット受信バッファと、パケット受信バッファに格納されているデジタル音声データをアナログ音声信号に変換して出力するとともに、入力されたアナログ音声信号をデジタル音声データに変換してパケット送信バッファに格納するコーデックと、コーデックで変換されたデジタル音声データを一時的に格納するパケット送信バッファと、入力端子がオンの間パケット送信バッファのデータをパケット化して送信するパケット送信部と、パケット受信部がパケットを受信したかどうかを判定し、パケットを受信したとき出力端子をオンにする有無判定部とを備えることを特徴とする音声ＩＰ化装置。
【発明の詳細な説明】
【技術分野】
【０００１】
本発明は、入力された音声信号をＩＰパケットに変換して送信するとともに、受信したＩＰパケットを音声信号に変換して出力する音声ＩＰ化装置に関する。
【背景技術】
【０００２】
近年、音声をパケット化してインターネット等のＩＰ（Internet Protocol）網を介して転送することにより音声通信を実現することが行われている。
【０００３】
音声をパケット化して転送する場合、ＩＰ網の輻輳等によりパケットが遅延するときがあり、さらに遅延時間は一定ではなく、このパケットの遅延により音声品質が劣化してしまう。
【０００４】
パケットの遅延を吸収するため、受信バッファでパケットを一定時間遅延させたり、パケットの到着が遅れた場合に再生を停止させたりするものがある（例えば、特許文献１参照）。
【０００５】
また、図３に示すような、プレス信号がオンの間だけ音声信号を送信するような無線機３がある。
【０００６】
この無線機３は、スイッチ３１が閉じられＰＲＳ端子に入力されるプレス信号がオンの間、マイク３２に入力される音声信号をアンテナ３４を介して無線で送信し、アンテナ３４で受信した音声信号をスピーカ３３から出力するもので、無線により受信した音声信号を出力する間ＳＱ端子の出力であるスケルチ信号をオンにするようになっている。
【特許文献１】特開２００６−１００９３３号公報
【発明の開示】
【発明が解決しようとする課題】
【０００７】
図３に示すような無線機３を、ＩＰ網を介して遠隔から操作できるようにしたい場合、図４に示すように、音声信号、プレス信号、スケルチ信号とパケットデータを相互変換する音声ＩＰ化装置４を無線機３とＩＰ網５との間に接続し、同様の音声ＩＰ化装置４を遠隔地でＩＰ網５と接続して、無線機３とＩＰ網５を介して通信して遠隔地から操作することが考えられる。
【０００８】
図５は、このような音声ＩＰ化装置４の構成例を示す図である。図５において、この音声ＩＰ化装置４は、ＩＰ網から受信したＲＴＰ（Real-time Transport Protocol）パケットからデジタル音声データを取り出し、ＲＴＰパケット受信バッファ４２に格納するＲＴＰパケット受信部４１と、ＩＰ網から受信したデジタル音声データを一時的に格納するＲＴＰパケット受信バッファ４２と、ＲＴＰパケット受信バッファ４２に格納されているデジタル音声データをアナログ音声信号に変換して出力するとともに、入力されたアナログ音声信号をデジタル音声データに変換してＲＴＰパケット送信バッファ４４に格納するコーデック４３と、コーデック４３で変換されたデジタル音声データを一時的に格納するＲＴＰパケット送信バッファ４４と、ＲＴＰパケット送信バッファ４４のデータをパケット化してＩＰ網に送信するＲＴＰパケット送信部４５と、ＩＰ網から受信したＴＣＰパケットの接点情報が接点出力オンであればＤＯ端子の出力をオンにするＴＣＰパケット受信部４６と、ＤＩ端子の入力がオンになったら、接点出力オンの接点情報を含んだＴＣＰパケットを生成して送信するＴＣＰパケット送信部４７とを備えている。
【０００９】
この音声ＩＰ化装置４では、音声信号と接点情報（プレス信号、スケルチ信号）を別々にパケットに相互変換して送受信するようになっている。
【００１０】
このようにした場合、ＩＰパケット化による音声信号は、ＩＰ網での遅延のゆらぎ吸収等の処理により遅延量が予測困難であり、プレス信号、スケルチ信号もＩＰパケット化するときのサンプリング時間に対するバラツキやＩＰ網での遅延のゆらぎによって遅延量が大きく異なり、音声信号と接点情報のタイミングがずれ、音声の頭切れ等が発生してしまう。
【００１１】
また、音声パケットの中に接点情報を埋め込むことも考えられるが、接点情報を音声信号と同期をとりながらサンプリングしなければならず、回路が複雑になり、コストが増大してしまうという問題があった。
【００１２】
そこで、本発明は、簡単な回路構成で、音声信号とプレス信号・スケルチ信号の同期をとることができる音声ＩＰ化装置を提供することを目的とする。
【課題を解決するための手段】
【００１３】
上記課題を解決する発明は、受信したパケットからデジタル音声データを取り出し、パケット受信バッファに格納するパケット受信部と、受信したデジタル音声データを一時的に格納するパケット受信バッファと、パケット受信バッファに格納されているデジタル音声データをアナログ音声信号に変換して出力するとともに、入力されたアナログ音声信号をデジタル音声データに変換してパケット送信バッファに格納するコーデックと、コーデックで変換されたデジタル音声データを一時的に格納するパケット送信バッファと、入力端子がオンの間パケット送信バッファのデータをパケット化して送信するパケット送信部と、パケット受信部がパケットを受信したかどうかを判定し、パケットを受信したとき出力端子をオンにする有無判定部とを備えることを特徴とするものである。
【００１４】
この発明では、パケットの受信により出力端子がオンになるとともに、入力端子がオンの間パケットが送信される。したがって、音声信号と同期してプレス信号・スケルチ信号が出力される。
【発明の効果】
【００１５】
本発明によれば、パケットを受信したことを検出して出力端子をオンにするとともに、入力端子がオンの間パケットを送信しているので、簡単な回路構成で、音声信号とプレス信号・スケルチ信号の同期をとることができる。
【発明を実施するための最良の形態】
【００１６】
以下、本発明を図面を参照して説明する。
【００１７】
図１は本発明の一実施形態の音声ＩＰ化装置を示す図である。
【００１８】
図１において、本実施形態の音声ＩＰ化装置は、ＩＰ網から受信したＲＴＰパケットからデジタル音声データを取り出し、ＲＴＰパケット受信バッファ１２に格納するＲＴＰパケット受信部１１と、ＩＰ網から受信したデジタル音声データを一時的に格納するＲＴＰパケット受信バッファ１２と、ＲＴＰパケット受信バッファ１２に格納されているデジタル音声データをアナログ音声信号に変換して出力するとともに、入力されたアナログ音声信号をデジタル音声データに変換してＲＴＰパケット送信バッファ１４に格納するコーデック１３と、コーデック１３で変換されたデジタル音声データを一時的に格納するＲＴＰパケット送信バッファ１４と、ＤＩ端子の入力がオンの間、ＲＴＰパケット送信バッファ１４のデータをパケット化してＩＰ網に送信するＲＴＰパケット送信部１５と、ＲＴＰパケット受信部１１の出力によりＲＴＰパケットを受信したかどうかを判定し、ＲＴＰパケットを受信したときＤＯ端子の出力をオンにする有無判定部１６とを備えている。
【００１９】
このような音声ＩＰ化装置において、ＲＴＰパケット受信部１１は、ＩＰ網からＲＴＰパケットを受信すると、受信したパケットを分析し、データとして格納されているデジタル音声データをＲＴＰパケット受信バッファ１２へ格納する。
【００２０】
有無判定部１６は、ＲＴＰパケット受信部１１がＲＴＰパケット受信バッファ１２に出力する信号を監視していて、ＲＴＰパケット受信部１１からＲＴＰパケット受信バッファ１２にデータが出力されると、ＲＴＰパケットを受信したと判断して、ＤＯ端子の出力をオンにする。
【００２１】
ＲＴＰパケット受信バッファ１２に格納されたデジタル音声データは、コーデック１３でアナログ音声信号に変換されＯＵＴ端子から出力される。
【００２２】
また、有無判定部１６は、ＲＴＰパケット受信部１１からＲＴＰパケット受信バッファ１２へのデータの出力が無くなると、ＤＯ端子の出力をオフにする。
【００２３】
一方、コーデック１３は、ＩＮ端子から入力されるアナログ音声信号をデジタル音声データに変換して、ＲＴＰパケット送信バッファ１４に格納する。
【００２４】
ＲＴＰパケット送信部１５は、ＤＩ端子からの入力を監視しており、ＤＩ端子の入力がオンになると、ＲＴＰパケット送信バッファ１４からデジタル音声データを読み出して、読み出したデジタル音声データをデータとするＲＴＰパケットを生成し、ＩＰ網を介して送信する。
【００２５】
また、ＲＴＰパケット送信部１５は、ＤＩ端子の入力がオフになると、ＲＴＰパケットの送信を停止する。
【００２６】
このように本実施形態においては、音声データのパケット受信により接点出力をオンにするとともに、接点入力のオンにより音声データのパケットを送信しているので、音声データのゆらぎや接点情報のサンプリング時間に対するバラツキに影響されずに、音声信号とプレス信号・スケルチ信号の同期をとることができる。
【００２７】
図２は、本実施形態の音声ＩＰ化装置の具体的な構成例を示す図である。なお、図１と同様な構成には同一の符号を付して説明を省略する。
【００２８】
図２において、ＣＰＵ２１は、モトローラ（登録商標）社製のＭＰＣ８６０Ｔを使用し、ＲＴＰパケット受信部１１、ＲＴＰパケット受信バッファ１２、ＲＴＰパケット送信バッファ１４、ＲＴＰパケット送信部１５、有無判定部１６はＣＰＵ２１上で動作するソフトウェアで構成されている。
【００２９】
また、ＣＰＵ２１のシリアルポート２１ａにはＰＬＤ（Programmable Logic Device）２２を介してコーデック１３が接続され、シリアル通信コントローラ（ＳＣＣ）の制御によりコーデック１３と通信して、コーデック１３との間でデジタル音声データの送受信を行う。
【００３０】
また、ＣＰＵ２１の汎用ポート２１ｂにはＤＯ端子とＤＩ端子が接続され、有無判定部１６の出力が汎用ポート２１ｂを介してＤＯ端子に出力され、ＤＩ端子からの入力が汎用ポート２１ｂを介してＲＴＰパケット送信部１５に入力される。
【００３１】
ＰＬＤ２２は、ＣＰＵ２１とコーデック１３とのシリアル通信におけるクロック信号や同期信号を生成して、ＣＰＵ２１とコーデック１３に供給するもので、発振回路２３は、ＰＬＤ２２にクロックを供給するもので、電圧制御水晶発振器（Voltage-Controlled Crystal Oscillator）２４は、ＣＰＵ２１からの制御によりＰＬＤ２２のクロック周波数を狭い範囲で調整するものである。
【００３２】
このような音声ＩＰ化装置において、ＰＬＤ２２は、ＣＰＵ２１およびコーデック１３にクロック信号、同期信号を供給して、ＣＰＵ２１とコーデック１３とのシリアル通信の速度を制御し、ＣＰＵ２１が受信しＲＴＰパケット受信バッファ１２に格納したデジタル音声データは、シリアル通信によりコーデック１３に送られ、コーデック１３が変換したデジタル音声データはシリアル通信によりＣＰＵ２１に送られ、ＲＴＰパケット送信バッファ１４に格納される。
【００３３】
このとき、ＣＰＵ２１は、ＲＴＰパケット送信バッファ１４の状況を監視し、ＲＴＰパケット送信バッファ１４の使用量に応じて電圧制御水晶発振器２４を制御して、コーデック１３との間のシリアル通信の速度を微調整している。
【００３４】
また、上述したように、有無判定部１６は、ＲＴＰパケット受信部１１がＲＴＰパケット受信バッファ１２に出力する信号を監視していて、ＲＴＰパケット受信部１１からＲＴＰパケット受信バッファ１２にデータが出力されると、ＲＴＰパケットを受信したと判断して、汎用ポート２１ｂのＤＯ端子の出力をオンにする。
【００３５】
また、上述したように、ＲＴＰパケット送信部１５は、汎用ポート２１ｂのＤＩ端子からの入力を監視しており、ＤＩ端子の入力がオンになると、ＲＴＰパケット送信バッファ１４からデジタル音声データを読み出して、読み出したデジタル音声データをデータとするＲＴＰパケットを生成し、ＩＰ網を介して送信する。
【図面の簡単な説明】
【００３６】
【図１】本発明の一実施形態の音声ＩＰ化装置を示す図であり、そのブロック図である。
【図２】本発明の一実施形態の音声ＩＰ化装置を示す図であり、その具体的な構成例を示すブロック図である。
【図３】プレス信号がオンの間だけ音声信号を送信するような無線機の例を示す図である。
【図４】無線機をＩＰ網を介して遠隔から操作する場合の構成例を示す図である。
【図５】従来の音声ＩＰ化装置の構成例を示すブロック図である。
【符号の説明】
【００３７】
１１  ＲＴＰパケット受信部
１２  ＲＴＰパケット受信バッファ
１３  コーデック
１４  ＲＴＰパケット送信バッファ
１５  ＲＴＰパケット送信部
１６  有無判定部
２１  ＣＰＵ
２１ａ  シリアルポート
２１ｂ  汎用ポート
２２  ＰＬＤ（Programmable Logic Device）
２３  発振回路
２４  電圧制御水晶発振器
３  無線機
３１  スイッチ
３２  マイク
３３  スピーカ
３４  アンテナ
４  音声ＩＰ化装置
４１  ＲＴＰパケット受信部
４２  ＲＴＰパケット受信バッファ
４３  コーデック
４４  ＲＴＰパケット送信バッファ
４５  ＲＴＰパケット送信部
４６  ＴＣＰパケット受信部
４７  ＴＣＰパケット送信部
５  ＩＰ網
【図１】
2008154157.tif 000003
【図２】
2008154157.tif 000004
【図３】
2008154157.tif 000005
【図４】
2008154157.tif 000006
【図５】
2008154157.tif 000007